(57)【要約】      （修正有）【課題】地面上の塵土を浸潤することにより塵の飛ぶことを防止し、有効的にダストに対する処理效果を向上する、飛塵噴霧処理装置を提供する。【解決手段】ハウジング１と、前記ハウジングの内部に取付けられるポンプ２と、前記ポンプの入水側に連通接続される吸水管２０１と、前記ポンプの出水側に連通接続される三方継手２０３と、前記ハウジングの一方側の外壁に固定接続される第１連通管３と、前記第１連通管の表面に取付けられる扇型ノズル３０１と、前記ハウジングの頂部に取付けられるミストキャノン４と、前記ミストキャノンの底部に設けられる第３連通管４０１と、前記ミストキャノンの一側方に開設される注水口６と、前記注水口の内部に着脱可能に接続される金属網籠６０２と、前記金属網籠の内側に結合される濾過綿とを含むことを特徴とする。【選択図】図１
0003234824.tif 000002
【実用新案登録請求の範囲】
【請求項１】
ハウジング（１）と、前記ハウジング（１）の内部に取付けられるパンプ（２）と、前
記パンプ（２）の入水側に連通接続される吸水管（２０１）と、前記パンプ（２）の出水
側に連通接続される三方継手（２０３）と、前記ハウジング（１）の一方側の外壁に固定
接続される第１連通管（３）と、前記第１連通管（３）の表面に取付けられる扇型ノズル
（３０１）と、前記ハウジング（１）の頂部に取付けられるミストキャノン（４）と、前
記ミストキャノン（４）の底部に設けられる第３連通管（４０１）と、前記ミストキャノ
ン（４）の一側方に開設される注水口（６）と、前記注水口（６）の内部に着脱可能に接
続される金属網籠（６０２）と、前記金属網籠（６０２）の内側に結合される濾過綿（６
０３）とを含むことを特徴とする飛塵噴霧処理装置。
【請求項２】
前記ハウジング（１）内の頂部に収納チャンパー（１０１）が開設されており、前記パ
ンプ（２）が前記収納チャンパー（１０１）の内側に位置されていることを特徴とする請
求項１に記載の飛塵噴霧処理装置。
【請求項３】
前記吸水管（２０１）はハウジング（１）の内側まで延伸していることを特徴とする請
求項１に記載の飛塵噴霧処理装置。
【請求項４】
前記吸水管（２０１）と収納チャンパー（１０１）の底部との接続位置に密閉部材（２
０２）が取付けられていることを特徴とする請求項１に記載の飛塵噴霧処理装置。
【請求項５】
前記扇型ノズル（３０１）は複数個設けられており、且つ複数個の前記扇型ノズル（３
０１）は傾斜的に配置されていることを特徴とする請求項１に記載の飛塵噴霧処理装置。
【請求項６】
前記第１連通管（３）の上面に第２連通管（３０２）が連通接続されており、前記第２
連通管（３０２）と第３連通管（４０１）はそれぞれ前記三方継手（２０３）に連通接続
されていることを特徴とする請求項１に記載の飛塵噴霧処理装置。
【請求項７】
前記ハウジング（１）の他方側の外壁にボルトによってトレーラー（５）が接続されて
いる。ことを特徴とする請求項１に記載の飛塵噴霧処理装置。
【請求項８】
前記注水口（６）の頂端にヒンジによって密閉蓋（６０１）が接続されていることを特
徴とする請求項１に記載の飛塵噴霧処理装置。
【請求項９】
前記金属網籠（６０２）の頂端にはんだ付けによってフェルール（６０４）が接続され、
且つ前記フェルール（６０４）の外壁に封止リング（６０５）が嵌設されていることを特
徴とする請求項８に記載の飛塵噴霧処理装置。
【請求項１０】
前記フェルール（６０４）の縁部下方に支持ブロック（６０６）が固定接続され、前記フ
ェルール（６０４）の上面に対称的にプルタブ（６０７）が取り付けられていることを特
徴とする請求項１に記載の飛塵噴霧処理装置。
【考案の詳細な説明】
【技術の分野】
【０００１】
本実用新案は都市環境保護の分野に関するもので、特に飛塵噴霧処理装置に関する。
【従来の技術】
【０００２】
中国の国家環境保護模範都市選考は、社会、経済、環境、都市建設、衛生、庭園などの
多方面に注目し、幅広く、高レベル、また高難度である、全国衛生都市資格を具備する上
で、且つ都市環境総合整備定量審査と環境保護投資に関しては一定の基準に達しなければ
、入選する可能性がない。環境保護都市のマークは、繁栄した社会文明、経済の急速で健
康的発展、良好な環境、資源の合理的利用、生態の良性循環、インフラの健全性、快適か
つ便利の生活があげられる。
【０００３】
ところで、地面上の塵土が、風や人の移動などによって大気に飛んで入って、飛塵を構成
し、オープン汚染源となる。それは環境空気中の総浮遊粒子状物質の重要な構成部分であ
る。ところが、飛塵に対して従来ではその噴霧処理装置は下記の欠点を有する。
【０００４】
すなわち、従来の飛塵噴霧処理装置は、単にミストキャノンにより空気におけるダストに
対して噴霧処理を行うもので、地面上にある塵土に対して噴霧を行い得なく、ダストに対
する処理効果は優れない。
【考案の概要】
【０００５】
本実用新案の目的は、従来の飛塵噴霧処理装置において、単にミストキャノンにより空
気におけるダストに対して噴霧処理を行うもので、地面上にある塵土に対して噴霧を行い
得なく、ダストに対する処理効果は優れないという欠点を克服する、飛塵噴霧処理装置を
提供することにある。
【０００６】
上記の目的を実現するために、本実用新案は、下記の技術を提案する。飛塵噴霧処理装置
であって、ハウジングと、前記ハウジング内の頂部に開設される収納チャンパーと、前記
収納チャンパーの内部に取付けられるパンプと、前記パンプの入水端部に連通接続される
吸水管と、前記パンプの出水端部に連通接続される三方継手と、前記ハウジングの一方側
の外壁に固定接続される第１連通管と、前記第１連通管の表面に取付けられる扇型ノズル
と、前記ハウジングの頂部に取付けられるミストキャノンと、前記ミストキャノンの底部
に設けられる第３連通管と、前記ミストキャノンの一側方に開設される注水口と、前記注
水口の内部に着脱可能に接続される金属網籠と、前記金属網籠の内側に結合される濾過綿
とを含む。
【０００７】
好ましくは、前記ハウジング内の頂部に収納チャンパーが開設されており、前記パンプは
前記収納チャンパーの内部に位置されている。このようにパンプを収納チャンパー中に配
置することにより、ハウジングの外観性を向上する。
【０００８】
好ましくは、前記吸水管がハウジング内側まで延伸することにより、ハウジングに留まる
水を吸取する。
【０００９】
好ましくは、前記吸水管と収納チャンパーの底部との接続位置に密閉部材が取付けられて
いる。このように吸水管と収納チャンパーの底部との接続位置に密閉部材を取付けること
により、吸水管と収納チャンパー底部との接続位置の密閉効果を向上し、水の収納チャン
パー内への侵入を防止する。
【００１０】
好ましくは、前記扇型ノズルは複数個設けられ、且つ複数個の前記扇型ノズルは傾斜的に
配置されている。このように扇型ノズルを傾斜的に配置することにより、地面上の塵土に
対して噴霧を実施することが容易にできる。
【００１１】
好ましくは、前記第１連通管の上面に第２連通管が連通接続され、前記第２連通管と第３
連通管はそれぞれ三方継手に連通接続されている。このように三方継手を設けて同時に両
箇所にある噴霧装置へも噴霧用水を輸送することができる。
【００１２】
好ましくは、前記ハウジングの他方側の外壁にボルトによってトレーラーが接続されてい
る。このようにトレーラーを設けて本装置を引いて路面で移動させる。
【００１３】
好ましくは、前記注水口の頂端にヒンジによって密閉蓋が接続されている。このように構
成されると、注水口で注水作業が完成した後、密閉蓋によって注水口を密閉することによ
り、不純物がハウジング内に入ることを防止する。
【００１４】
好ましくは、前記金属網籠の頂端にフェルールがはんだ付け接続され、且つフェルールの
外壁に封止リングが嵌設されている。このようにして、封止リングと注水口の内壁とを貼
合させることにより、未濾過の水が金属網籠と注水口の接続位置より侵入することを防止
する。
【００１５】
従来の技術と比べて、本実用新案の有益な効果は以下の通りである。
【００１６】
（１）本実用新案は、注水口よりハウジング内へ適量の水を注入するとともに、パンプと
ミストキャノンに電源を投入する。吸水管によりハウジング内の水を吸い出すと共に、三
方継手により吸出した水をそれぞれミストキャノンと第１連通管の中へ輸送する。ミスト
キャノンにより輸入した水を霧化した後に空気へ噴出するとともに、液状の水が第１連通
管中に入ると、圧力の作用で複数個の扇型ノズルを介して第１連通管内の水を水霧で地面
へ噴出する。これにより地面上の塵土を浸潤することができる。これにより塵の飛ぶこと
を防止し、有効的にダストに対する処理效果を向上する。
【００１７】
（２）本実用新案は、注水口の内部に金属網籠を取付け、且つ金属網籠の内壁に濾過綿を
結合することにより、注水口からハウジング内へ水を添加する時は、水が、まず金属網籠
内部に入って、濾過綿により水中の不純物を濾過する。そして濾過後の水が、金属網籠の
網目を通してハウジング内部に流れ込む。これにより水中の不純物がミストキャノン中の
構成部材や扇型ノズルを塞ぐことを防止する。
【図面の簡単な説明】
【００１８】
【図１】図１は本実用新案の全体構成模式図である。
【図２】図２は本実用新案の第１連通管の上面構成模式図である。
【図３】図３は本実用新案のトレーラーの構成模式図である。
【図４】図４は本実用新案の金属網籠の断面構成模式図である。
【考案を実施するための形態】
【００１９】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解してはならない。本実用新案の実施例に基
づいて、本分野の当業者によって創造的な労働を費やさず得られる全ての実施例は、本実
用新案に保護を求める範囲に含まれる。
【００２０】
図１〜４に示されるように、本実用新案は飛塵噴霧処理装置を提供する。ハウジング１
と、前記ハウジング１内の頂部に開設される収納チャンパー１０１と、前記収納チャンパ
ー１０１の内部に取付けられるパンプ２と、前記パンプ２の入水端部に連通接続される吸
水管２０１と、前記パンプ２の出水端部に連通接続される三方継手２０３と、前記ハウジ
ング１の一方側の外壁に固定接続される第１連通管３と、前記第１連通管３の表面に取付
けられる扇型ノズル３０１と、前記ハウジング１の頂部に取付けられるミストキャノン４
と、前記ミストキャノン４の底部に設けられる第３連通管４０１と、前記ミストキャノン
４の一方側に開設される注水口６と、前記注水口６の内部に着脱可能に接続される金属網
籠６０２と、前記金属網籠６０２の内側に結合される濾過綿６０３とを含む。
【００２１】
注水口６よりハウジング１内へ適量の水を注入するとともに、パンプ２とミストキャノン
４に電源を投入する。吸水管２０１によりハウジング１内の水を吸い出すと共に、三方継
手２０３により吸出した水をそれぞれミストキャノン４と第１連通管３の中へ輸送する。
ミストキャノン４により輸入した水を霧化した後、空気に噴出するとともに、液状水が第
１連通管３中に入ると、圧力の作用で複数個の扇型ノズル３０１を介して第１連通管３内
の水を水霧で地面へ噴出する。これにより地面上の塵土を浸潤する。これにより、塵の飛
ぶことを防止し、有効的にダストに対する処理效果を向上する。注水口６の内部に金属網
籠６０２を取付け、且つ金属網籠６０２の内壁に濾過綿６０３を結合することにより、注
水口６からハウジング１内へ水を加える時は、水が先に金属網籠６０２内部に入って、濾
過綿６０３により水中の不純物を濾過する。濾過綿６０３の特徴は、繊維組織が柔らかで
高隙間占有率であり、不純物の付着量が大きいので、複合式の差止効果によって有効的に
固態と柔軟の顆粒を除去することができるので、大きい顆粒不純物は繊維の表面に差止め
られるが、細い顆粒は濾過材の裏側に捕捉される。濾過後の水が金属網籠６０２の網目を
通してハウジング１内部に流れ込み、水中の不純物がミストキャノン４中の構成部材や扇
型ノズル３０１を塞ぐことを防止する。
【００２２】
前記ハウジング１内の頂部に収納チャンパー１０１が開設されており、前記パンプ２が収
納チャンパー１０１の内部に位置されている。このようにパンプ２を収納チャンパー１０
１中に配置することにより、ハウジング１の外観性を向上する。
【００２３】
前記吸水管２０１がハウジング１内側まで延伸することにより、ハウジング１に留まる水
を吸取する。
【００２４】
前記吸水管２０１と収納チャンパー１０１の底部との接続位置に密閉部材２０２が取付け
られている。吸水管２０１と収納チャンパー１０１の底部との接続位置に密閉部材２０２
を取付けることにより、吸水管２０１と収納チャンパー１０１底部との接続位置の密閉効
果を向上し、水の収納チャンパー１０１内への侵入を防止する。
【００２５】
前記扇型ノズル３０１は複数個設けられ、且つ複数個の前記扇型ノズル３０１は傾斜的に
配置されている。このように扇型ノズル３０１を傾斜的に配置することにより地面上の塵
土に対して噴霧を実施することが容易にできる。
【００２６】
前記第１連通管３の上面に第２連通管３０２が連通接続され、前記第２連通管３０２と第
３連通管４０１はそれぞれ三方継手２０３に連通接続される。このように三方継手２０３
を設けて同時に両箇所にある噴霧装置へ噴霧用水を輸送することができる。
【００２７】
前記ハウジング１の他方側の外壁にボルトによってトレーラー５が接続されている。この
ようにトレーラー５を設けて本装置を引き動かして路面で移動させる。
【００２８】
前記注水口６の頂端にヒンジによって密閉蓋が接続されている。このように構成されると
、注水口６で注水作業が完成した後、密閉蓋６０１によって注水口６を密閉することによ
り、不純物がハウジング１内に入ることを防止する。
【００２９】
前記金属網籠６０２の頂端にフェルール６０４がはんだ付け接続され、且つフェルール６
０４の外壁に封止リング６０５が嵌設されている。このようにして、封止リング６０５と
注水口６の内壁とを貼合させることにより、未濾過の水が金属網籠６０２と注水口６の接
続位置より侵入することを防止する。
【００３０】
前記フェルール６０４の縁部下方に支持ブロック６０６が固定接続され、前記フェルール
６０４の上面に対称的にプルタブ６０７が取付けられている。プルタブ６０７を設けるこ
とにより、金属網籠６０２を取付けるや、取り外すことが容易にできる。
【００３１】
特筆すべきのは、飛塵噴霧処理装置は、その動作際においては、注水口６よりハウジング
１内へ適量の水を注入するとともに、パンプ２とミストキャノン４に電源を投入する。吸
水管２０１によりハウジング１内の水を吸い出すと共に、三方継手２０３により吸出した
水をそれぞれミストキャノン４と第１連通管３の中へ輸送する。ミストキャノン４により
輸入した水を霧化した後に空気に噴出するとともに、液状の水が第１連通管３中に入ると
、圧力の作用で複数個扇型ノズル３０１を介して第１連通管３内の水を水霧で地面へ噴出
する。これにより地面上の塵土を浸潤する。これにより、塵の飛ぶことを防止し、有効的
にダストに対する処理效果を向上する。注水口６の内部に金属網籠６０２を取付け、且つ
金属網籠６０２の内壁に濾過綿６０３を結合することにより、注水口６からハウジング１
内へ水を加える時は、水が先に金属網籠６０２内部に入って、濾過綿６０３により水中の
不純物を濾過する。濾過綿６０３の特徴は、繊維組織が柔らかで高隙間存在率であり、不
純物の付着量が増えるので、複合式差止模式によって有効的に固態と柔軟の顆粒を除去す
ることができ、大きい顆粒不純物が繊維の表面に差止められるが、細い顆粒が濾過材の裏
側に捕捉される。濾過後の水が、金属網籠６０２の網目を通してハウジング１内部に流れ
込み、水中の不純物がミストキャノン４中の構成部材や扇型ノズル３０１を塞ぐことを防
止する。吸水管２０１がハウジング１内側まで延伸する。また、吸水管２０１と収納チャ
ンパー１０１の底部との接続位置に密閉部材２０２が取付けられている。これにより、吸
水管２０１と収納チャンパー１０１底部との接続位置の密閉効果を向上し、水の収納チャ
ンパー１０１内への侵入を防止する。扇型ノズル３０１は複数個設けられ、且つ複数個の
扇型ノズル３０１は傾斜的に配置されている。第１連通管３の上面に第２連通管３０２が
連通接続され、第２連通管３０２と第３連通管４０１はそれぞれ三方継手２０３に連通接
続される。扇型ノズル３０１を傾斜的に配置することにより地面上の塵土に対して噴霧を
実施することが容易にできる。三方継手２０３を設けて同時に両箇所にある噴霧装置へも
噴霧用水を輸送することができる。ハウジング１の他方側の外壁にボルトによってトレー
ラー５が接続されている。トレーラー５を設けて本装置を引き動かして路面で移動させる
。金属網籠６０２の頂端にフェルール６０４がはんだ付け接続され、且つフェルール６０
４の外壁に封止リング６０５が嵌設されている。封止リング６０５と注水口６の内壁とを
貼合させることにより、未濾過の水が金属網籠６０２と注水口６の接続位置より侵入する
ことを防止する。フェルール６０４の縁部下方に支持ブロック６０６が固定接続され、フ
ェルール６０４の上面に対称的にプルタブ６０７が取付けられている。プルタブ６０７を
設けることにより、金属網籠６０２を取付けるや、取り外すことが容易にできる。
【００３２】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００３３】
１  ハウジング
１０１  収納チャンパー
２  パンプ
２０１  吸水管
２０２  密閉部材
２０３  三方継手
３  第１連通管
３０１  扇型ノズル
３０２  第２連通管
４  ミストキャノン
４０１  第３連通管
５  トレーラー
６  注水口
６０１  密閉蓋
６０２  金属網籠
６０３  濾過綿
６０４  フェルール
６０５  封止リング
６０６  支持ブロック
６０７  プルタブ
【図１】
0003234824.tif 000003
【図２】
0003234824.tif 000004
【図３】
0003234824.tif 000005
【図４】
0003234824.tif 000006
【手続補正書】
【提出日】令和3年6月5日(2021.6.5)
【手続補正２】
【補正対象書類名】実用新案登録請求の範囲
【補正対象項目名】全文
【補正方法】変更
【補正の内容】
【実用新案登録請求の範囲】
【請求項１】
ハウジング（１）と、前記ハウジング（１）の内部に取付けられるポンプ（２）と、前
記ポンプ（２）の入水側に連通接続される吸水管（２０１）と、前記ポンプ（２）の出水
側に連通接続される三方継手（２０３）と、前記ハウジング（１）の一方側の外壁に固定
接続される第１連通管（３）と、前記第１連通管（３）の表面に取付けられる扇型ノズル
（３０１）と、前記ハウジング（１）の頂部に取付けられるミストキャノン（４）と、前
記ミストキャノン（４）の底部に設けられる第３連通管（４０１）と、前記ミストキャノ
ン（４）の一側方に開設される注水口（６）と、前記注水口（６）の内部に着脱可能に接
続される金属網籠（６０２）と、前記金属網籠（６０２）の内側に結合される濾過綿（６
０３）とを含むことを特徴とする飛塵噴霧処理装置。
【請求項２】
前記ハウジング（１）内の頂部に収納チャンパー（１０１）が開設されており、前記ポ
ンプ（２）が前記収納チャンパー（１０１）の内側に位置されていることを特徴とする請
求項１に記載の飛塵噴霧処理装置。
【請求項３】
前記吸水管（２０１）はハウジング（１）の内側まで延伸していることを特徴とする請
求項１に記載の飛塵噴霧処理装置。
【請求項４】
前記吸水管（２０１）と収納チャンパー（１０１）の底部との接続位置に密閉部材（２
０２）が取付けられていることを特徴とする請求項２に記載の飛塵噴霧処理装置。
【請求項５】
前記扇型ノズル（３０１）は複数個設けられており、且つ複数個の前記扇型ノズル（３
０１）は傾斜的に配置されていることを特徴とする請求項１に記載の飛塵噴霧処理装置。
【請求項６】
前記第１連通管（３）の上面に第２連通管（３０２）が連通接続されており、前記第２
連通管（３０２）と第３連通管（４０１）はそれぞれ前記三方継手（２０３）に連通接続
されていることを特徴とする請求項１に記載の飛塵噴霧処理装置。
【請求項７】
前記ハウジング（１）の他方側の外壁にボルトによってトレーラー（５）が接続されて
いる、ことを特徴とする請求項１に記載の飛塵噴霧処理装置。
【請求項８】
前記注水口（６）の頂端にヒンジによって密閉蓋（６０１）が接続されていることを特
徴とする請求項１に記載の飛塵噴霧処理装置。
【請求項９】
前記金属網籠（６０２）の頂端にはんだ付けによってフェルール（６０４）が接続され、
且つ前記フェルール（６０４）の外壁に封止リング（６０５）が嵌設されていることを特
徴とする請求項８に記載の飛塵噴霧処理装置。
【請求項１０】
前記フェルール（６０４）の縁部下方に支持ブロック（６０６）が固定接続され、前記フ
ェルール（６０４）の上面に対称的にプルタブ（６０７）が取り付けられていることを特
徴とする請求項９に記載の飛塵噴霧処理装置。